(57)【要約】      （修正有）【課題】入口の大きな径のゴミ箱に、それより小さい径のゴミ袋を取りつけることができるモノを吊るせるＶ字状器具を提供する。【解決手段】台所で使用するＶ字状の支柱２０からなるトング状であり、つかむ先端を切断して、それを逆さ向けにして、先端のＶ字状の一方には１〜数個のＳ字状やバネ式のＲ字状の引っかけ３を取り付けておき、大きいゴミ箱の両サイドの側面やイスの背もたれ、ベランダの手すりやカーテンレール、金網フェンス、自動車内の手すりなどにＳ字状やＲ字状の引っかけ３を差し込み取り付けて、もう一方のＶ字状の先端にはゴミ袋やいろいろな袋が広範囲に引っかけやすいように、ずり落ちないように無数の突起物を付けておいて、Ｉ字状、Ｃ字状の引っかけやバケット型の籠状にして、それぞれの真ん中に縦棒を付けておき、その縦棒をもう一方のＶ字状の先端にあけた穴に差し込み、交換式にする。【選択図】図１
0003221125.tif 000002
【実用新案登録請求の範囲】
【請求項１】
入口の大きな径のゴミ箱にそれより小さい径のゴミ袋を取りつけることができる器具であり、その形状は台所で使用するトングを逆さ向けにしたＶ字状の形であり、その二個の支柱の外側に上下できる長方形の輪をはめておいて、物をつかむ二個の先端部分を切断して、そのＶ字状の先端の一方にＳ字状やＲ字状の引っかけを１〜数個取り付けておいて、ゴミ箱の両サイドの側面やベランダの手すり、カーテンレール、金網のフェンス、自動車内の手すりに差し込み取りつけることができて、もう一方のＶ字状の先端の支柱には穴を開けておいて、無数の突起物をつけたＩ字状を用意して、そのＩ字状の真ん中に縦棒を取り付けておき、もう一方のＶ字状の先端の支柱の穴に入れて固定をしておくことにより、ゴミ袋を引っかけ取りつけることができて、更に、重たい買い物袋やカバン、濡れた衣類をかけたハンガー、土の入った重たい丸形の植木鉢、小物入れのドリンクホルダーを吊るしたりして、傾くことなく腰壁や金網フェンスに当たることなく取りつけることができることを特徴とする、モノを吊るせるＶ字状器具。
【請求項２】
入口の大きな径のゴミ箱にそれより小さい径のゴミ袋を取りつけることができる器具であり、その形状は台所で使用するトングを逆さ向けにしたＶ字状の形であり、その二個の支柱の外側に上下できる長方形の輪をはめておいて、物をつかむ二個の先端部分を切断して、そのＶ字状の先端の一方にＳ字状やＲ字状の引っかけを１〜数個取り付けておいて、ゴミ箱の両サイドの側面やベランダの手すり、カーテンレール、金網のフェンス、自動車内の手すりに差し込み取りつけることができて、もう一方のＶ字状の先端の支柱には穴を開けておいて、無数の突起物をつけたＣ字状を用意して、そのＣ字状の真ん中に縦棒を取りつけておき、もう一方の先端のＶ字状の支柱の穴に入れて固定をしておくことにより、ゴミ袋を引っかけ取りつけることができて、更に、重たい買い物袋やカバン、濡れた衣類をかけたハンガー、土の入った重たい丸形の植木鉢、小物入れのドリンクホルダーをつるしたりして、傾くことなく腰壁や金網フェンスに当たることなく取りつけることができることを特徴とする、モノを吊るせるＶ字状器具。
【請求項３】
入口の大きな径のゴミ箱にそれより小さい径のゴミ袋を取りつけることができる器具であり、その形状は台所で使用するトングを逆さ向けにしたＶ字状の形であり、その二個の支柱の外側に上下できる長方形の輪をはめておいて、物をつかむ二個の先端部分を切断して、そのＶ字状の先端の一方にＳ字状やＲ字状の引っかけを１〜数個取り付けておいて、ベランダの手すり、金網のフェンスに差し込み取りつけることができて、バケット式の籠を用意して、その籠の真ん中に縦棒を付けておき、その縦棒をもう一方のＶ字状の先端にあけた支柱の穴へ入れて固定をしておくことにより、重たい丸い植木鉢を入れて、傾くことなくベランダの腰壁や金網フェンスに当たることなく取りつけることができることを特徴とする、モノを吊るせるＶ字状器具。
【請求項４】
入口の大きな径のゴミ箱にそれより小さい径のゴミ袋を取りつけることができる器具であり、その形状は台所で使用するトングを逆さ向けにしたＶ字状の形であり、その二個の支柱の外側に上下できる長方形の輪をはめておいて、物をつかむ二個の先端部分を切断して、そのＶ字状の先端の一方にＳ字状やＲ字状の引っかけを１〜数個取り付けておいて、ゴミ箱の側面の両サイドやイスの背もたれ、ベランダの手すり、金網フェンスに差し込み取りつけることができて、もう一方のＶ字状の先端には穴を開けておき、Ｉ字状、Ｃ字状、バケット式の籠状の真ん中に縦棒を付けておき、その真ん中につけた縦棒をＶ字状の先端にあけた穴に入れて、無数の突起物をつけたＩ字状、Ｃ字状とバケット式の籠状に交換できるようにして、重たい買い物袋やカバン、濡れた衣類をかけたハンガー、土の入った重たい丸形の植木鉢をつるしたり、入れたりして傾くことなく、腰壁やフェンスに当たることなく取りつけることができることを特徴とする、モノを吊るせるＶ字状器具。
【請求項５】
形状は台所で使用するトングを逆さ向けにしたＶ字状の形であり、その二個の支柱の外側に上下できる長方形の輪をはめ込んでおいて、ものをつかむ二個の先端部分を切断して、その切断したＶ字状の先端の一方にＳ字状やＲ字状の引っかけを１〜数個取り付けておいて、イスの背もたれ、ベランダの手すり、カーテンレール、金網フェンス、自動車内の手すりに差し込み、取りつけることができて、もう一方のＶ字状の先端は切断したままにしておき、Ｖ字状の中へ重い買い物袋やカバン、濡れた衣類のハンガー、土の入った植木鉢、ドリンクなどのヒモをＶ字状に入れて、吊るしてイスの背もたれ、ベランダの腰壁、窓、金網フェンス、自動車の内壁に当たることなく、傾くことなく取りつけることができることを特徴とする、モノを吊るせるＶ字状器具。
【考案の詳細な説明】
【技術分野】
【０００１】  大きい径のゴミ箱にそれより小さいゴミ袋を止める、イスの背もたれに手提げ袋を止める、ベランダの手すりやカーテンレールにぬれた衣類をかけたハンガーを止める、花、ガーデン用、金網フェンスに丸い、重たい植木鉢を止める、自動車内の手すりなどにドリンクホルダ―をかけて止める、イスの背もたれ、ベランダの腰壁、窓、金網フェンスに当てることなく、傾けることなく吊るして止めることができるための器具に関することである。
【背景技術】
【０００２】  小さい径のゴミ袋を大きい径のゴミ箱の入口に止める器具は存在しないが、壁やフェンスとの距離を保って引っかける器具は存在する。
【先行技術】
【０００３】  次のように存在する。
１、ステンレスプランターハンガー；ベランダの手すり、ブロック塀など、いろいろに設置可能
２、アルミボーダーフェンス；  ベランダ手すりの固定器具
３、ベランダ物干し台；ベランダに物干しをする器具
４、ＢＳ・ＣＳアンテナ、ベランダ取り付け器具
５、ガーデンバスケットロイヤル
【考案の概要】
【０００４】  入口の大きな径のゴミ箱にそれより小さいゴミ袋を取りつけることができる器具であり、その形状は台所で使用するトングを逆さ向けにしたＶ字状の形であり、その二個の支柱に上下できる長方形の輪をはめておいて、モノをつかむ二個のＶ字状の先端を切断して、そのＶ字状の先端の一方にＳ字状やＲ字状の引っかけを１〜数個取り付けておいて、ゴミ箱の側面やベランダの手すりやカーテン、金網フェンス、自動車内の手すりに差し込み、引っかけることができて、もう一方のＶ字状の先端は穴を開けておき、差し込み式で交換できるようにして、Ｉ字状、Ｃ字状、籠状につけた縦棒を差し込めるようにしておき、それに数個のいろいろな突起物の引っかけを付けておくことにより、重たい買い物袋やカバンを、濡れた衣類をかけたハンガーを、土の入った重たい丸形の植木鉢やドリンクホルダーを吊るしたり、入れたりして、傾くことなく、腰壁、窓や金網フェンスに当たることなく取りつけることができることを特徴とする、モノを吊るせるＶ字状器具。
【考案が解決しようとする課題】
【０００５】  家の中にゴミ箱が多いのでその解消をはかりたい。ゴミ箱の小〜中と要らなくしたい。ゴミ袋の大は中、小よりコストが高いのでその解消をはかって脱プラスチック運動に協力したい。更に、イスの背もたれ、カーテンレール、ベランダの手すり、金網フェンス、自動車内の手すりなどに引っかけていろいろな袋やカバンや濡れた衣類をかけたハンガーや丸い重たい植木鉢やドリンクホルダーがイスの背もたれや、ベランダの腰壁、窓や金網フェンス、自動車の内壁に当たって汚れることなく、傾くことなく、掛けることができれば快適な生活を送ることができる。
【考案を解決するための手段】
【０００６】  入口の大きな径のゴミ箱にそれより小さい径のゴミ袋を取りつけることができる金属、鉄、プラスチック、合成樹脂製、又はその複合体製の器具であり、形状は台所で使う、上下できる長方形の輪をはめたトングを逆さ向けにしたＶ字状の形であり、更に、Ｖ字状の支柱の下の接続部分の通し棒にはバネを内含しておき、バネを支え、Ｖ字を接続する通し棒を長い目にして外へ出しておくことにより、長方形の輪が外れないようにしておく。二個の物をつかむ先端の部分を切断して、その一方のＶ字状の先端にＳ字状やバネ式のＲ字状の１〜数個の引っかけを取り付けておき、もう一方のＶ字状の先端は穴を開けておき、差し込み式で交換できるようにしておく。いろいろな形の突起物をつけたＩ字状、Ｃ字状、籠状の縦棒を差し込んで交換できて使用できる。その方法はＳ字状やＲ字状の部分を大きいゴミ箱の両サイドに差し込み取り付けて、突起物の付いた引っかけにゴミ袋を巻きこんで取り付ける。Ｖ字状の外側の支柱につけた長方形の輪を上下さすことにより、両サイドの器具のＶ字の支柱が開いたり、閉じたりすることにより、先端が左右に動くことにより、ゴミ袋の大きさを調整することができる。Ｓ字状やＲ字状の部分をイスの背もたれ、ベランダの手すりやカーテンレール、金網フェンス、自動車内の手すりなどに差し込み、もう一方の引っかけ部分は差し込み式で、Ｉ字状、Ｃ字状、籠状に自由に交換できるようにして、手提げ袋、濡れた衣類をかけたハンガー、重たい植木鉢を掛ける、入れ込むことにより、金網のフェンスやベランダの腰壁、窓、金網フェンス、に接触することなく、ある一定の距離を保って通気性をよくして、汚れることなく、植木鉢などが傾くことなく引っかけ、取りつけることができることを特徴とする、モノを吊るせるＶ字状器具。
【考案の効果】
【０００７】  本考案の器具を大きいゴミ箱の両サイドの側面に数個を差し込むだけで大きいゴミ箱に小さいゴミ袋を取りつけることができて、大きいゴミ袋が節約できる、更にイスの背もたれやベランダの手すり、カーテンレール、穴の開いた金網のフェンス、自動車内の手すりなどに本考案を掛けることにより、傾けたくない買い物袋、重たい濡れた衣類をかけたハンガーや丸形の植木鉢、ドリンクホルダーを傾けることなく、腰壁や金網フェンスに当たることなく、通気性を保って取りつけることができる器具であり、買い物袋や手提げ袋に入れて持ち運びが簡単に出来て、先端が用途により、いろいろな形状に交換できて便利に使用できる。
【図面の簡単な説明】
【０００８】
【図１】正面図
【図２】側面図  左、右
【図３】上からの図
【図４】下からの図
【図５】斜め図
【図６】差し込んで、引っかける器具  （１）Ｉ字状  ▲１▼正面図  ▲２▼側面図  ▲３▼上からの図  （２）Ｃ字状  ▲１▼正面図  ▲２▼側面図  ▲３▼上からの図  （３）籠状  ▲１▼正面図  ▲２▼側面図  ▲３▼上からの図  （４）Ｓ字状の引っかけ  ▲１▼正面図  ▲２▼側面図  ▲３▼上からの図  （５）Ｒ字状のひっかけ  ▲１▼正面図  ▲２▼側面図  ▲３▼上からの図  （６）Ｓ字状の引っかけを二個にした場合  ▲１▼正面図  ▲２▼側面図  ▲３▼上からの図
【図７】大きいゴミ箱に小さいゴミ袋をかけて、吊るした図
【図８】イスの背もたれに手提げ袋をかけて、吊るした図
【図９】ベランダの手すりにぬれた衣類をかけたハンガーをかけて、吊るした図
【図１０】（１）金網フェンスに植木鉢をかけて、吊るした図、（２）籠に植木鉢を入れ込んで、置いた図
【図１１】（１）自動車内の頭あての支柱にかけた、小物入れ、ドリンクホルダー  （２）自動車内の手すりにかけた小物入れ、ドリンクホルダー
【符号の説明】
【０００９】１、ゴミ袋
２、ゴミ箱
３、先端のＳ字状、Ｒ字状の差し込みの部分
４、交換できる先端の引っかける部分、Ｉ字状
５、交換できる先端の引っかける部分、Ｃ字状
６、交換できる先端の部分          、籠状
７、突起物
８、輪の部分
９、ゴミ箱の縁
１０、ゴミ袋を引っかける部分
１１、濡れた衣類をかけたハンガー
１２、買い物袋、手提げ袋
１２、金網フェンス
１３、ベランダの手すり
１４、ベランダの腰壁
１５、植木鉢
１６、長方形の輪のストッパーの役割をする出っ張り部分
１７、バネ
１８、Ｖ字状を接続する通し棒
１９、ドリンクホルダー
２０、Ｖ字状の支柱
２１、支柱にはめ込む長方形の輪
２２、自動車内の手すり
２３、自動車内の頭あての支柱
２４、縦棒
【考案を実施するための形態】
【００１０】  次の順序で実施する。
（１）ゴミ箱の場合
１、交換できる引っかけ部分の先端にＣ字状、又はＩ字状を選択して差し込む。
ゴミ箱の両サイドに差し込むために二個以上を用意する。
２、本考案のＳ字状、又はＲ字状の部分をゴミ箱の両サイドの側面に上辺の縁を差し込      みかける。
３、Ｃ字状、又はＩ字状の引っかけ部分にゴミ袋をかける。
４、ゴミを入れる。
５、ゴミを入れたゴミ袋をはずして捨てる。
（２）イスの背もたれの場合
１、交換できる引っかけ部分の先端にＩ字状、又はＣ字状を選択して差し込みかける。
２、イスの背もたれの上部にＳ字状、又はＲ字状の部分を差し込みかける。
３、Ｉ字状、又はＣ字状の引っかけ部分に手提げ袋、買い物袋をかける。
（３）ベランダの手すりの場合
１、交換できる引っかけ部分の先端にＩ字状、又はＣ字状を選択して差し込みかける。
２、ベランダの手すりにＳ字状、又はＲ字状の部分を差し込みかける。
３、Ｉ字状、又はＣ字状を引っかけ部分に濡れた衣類をかけたハンガーをかける。
（４）金網のフェンスの場合
１、交換できる先端の部分を選択する。Ｉ字状、又はＣ字状の引っかけ式にするか、バ      ケット式の籠にするかを決めて差し込む。
２、金網のフェンスにＳ字状、又はＲ字状の部分を差し込みかける。
３、植木鉢をヒモで吊るしてＩ字状、又はＣ字状にかける、又はバケット式の籠に入れ      ておく。
【産業上の利用可能性】
【００１１】  本考案を大きなゴミ箱の両サイドに差し込むだけでそれより小さいゴミ袋を取りつけることが可能になり、たくさんの大きなゴミ袋や小さいごみ箱が要らなくなり、無駄なスペースが助かる。更に、本考案を使用してあらゆるところにいろいろな袋、カバン、濡れた衣類をかけたハンガー、丸い植木鉢、ドリンクホルダーなどを取りつけて、イスの背もたれ、ベランダの腰壁、窓、カーテン、金網フェンス、自動車内の壁に当てることなく、傾けることなく、通気性を保つことができる。更に、持ち運びが簡単な器具であるために便利に使用することができるので日々の快適生活に貢献する。
【図１】
0003221125.tif 000003
【図２】
0003221125.tif 000004
【図３】
0003221125.tif 000005
【図４】
0003221125.tif 000006
【図５】
0003221125.tif 000007
【図６】
0003221125.tif 000008
【図７】
0003221125.tif 000009
【図８】
0003221125.tif 000010
【図９】
0003221125.tif 000011
【図１０】
0003221125.tif 000012
【図１１】
0003221125.tif 000013